(57)【特許請求の範囲】
【請求項１】
基礎とその上方に位置する梁との間に配置され、基礎上に突出したアンカーボルトに固定された金属製の軸組を取り替える取替え方法であって、
上記軸組を切断して上下に２分割し、各分割体を順次基礎と梁との間から取り出した後、上記基礎上に金属製の土台を配置して上記アンカーボルトに固定するとともに隣接する軸組に連結し、続いて、この土台と梁との間に元の軸組より土台の上下幅だけ上下幅の短い新たな軸組を挿入して上記土台に固定することを特徴とする軸組取替え方法。
【発明の詳細な説明】
【０００１】
【発明の属する技術分野】
本発明は、鉄骨造りの住宅等、金属製の構造材を有する住宅における軸組の取替え方法に関するものである。
【０００２】
【従来の技術】
図１に示すように、鉄骨造りの住宅においては、各々鋼製の縦部材（縦柱）１と横部材２とを組み合わせてなる軸組３を、コンクリート製の基礎４と該基礎４の上方に配置されたＨ型鋼等からなる梁５との間に配置し、基礎４から上方へ突出させたアンカーボルト６に軸組３の下端の横部材２を孔で挿通させ、該横部材２をナット７でアンカーボルト６に固定した構造のものが知られている。
【０００３】
なお、軸組３の縦部材１における上端部付近と下端部付近には各１対の孔１ａが設けられ、隣接する軸組３の対応する縦部材１同士が、孔１ａを挿通するボルト８及びナット９（図２参照）で互いに連結されるとともに、軸組３の上端の横部材２が該横部材２及び梁５に設けた孔を貫通するボルト８及びナット９で梁５に連結されている。なお、軸組３の屋外側には、外壁パネル１０が取り付けられる。
【０００４】
【発明が解決しようとする課題】
ところで、例えば、住宅の増改築時等には、軸組の交換が必要な場合があるが、軸組３は基礎４上に突出したアンカーボルト６に固定されているため、外壁パネル１０を取り外した後、交換すべき軸組３を取り外すのに際して軸組３の下端部がアンカーボルト６に干渉し、軸組３の交換を容易に行えない問題があった。
【０００５】
すなわち、軸組３の上端部の屋外側に障害物が存在しない場合、軸組３の上端部を屋外側へ傾斜させ、この状態で軸組３を斜め上方へ引き抜くことで、アンカーボルト６を損傷させることなく、軸組３を取り外すことも不可能ではないが、軸組３の上端部の屋外側に庇１１を支持する腕木１２等の障害物が存在する場合、軸組３の取り外しが不可能となる。
【０００６】
なお、アンカーボルト６をアセチレンガス等を用いて切断、除去すると、軸組３の上端部の屋外側に障害物が存在する状況でも、図１中に点線Ａで示すように、軸組３を斜め下方へ取り出すことが可能ではあるが、その場合、アンカーボルト６の切断時に火災が発生する危険があり、かつ、軸組３の取外し後に、図示しない新たなアンカーボルトを基礎に埋め込む作業が煩雑なものとなる。
【０００７】
【課題を解決するための手段】
本発明は前記の課題を解決するため、腐食等の生じた軸組の取替えを容易に行える軸組取替え方法を提供することを目的とする。
そのため、本発明の請求項１の軸組取替え方法は、基礎とその上方に位置する梁との間に配置され、基礎上に突出したアンカーボルトに固定された金属製の軸組を取り替える取替え方法であって、上記軸組を切断して上下に２分割し、各分割体を順次基礎と梁との間から取り出した後、上記基礎上に金属製の土台を配置して上記アンカーボルトに固定するとともに隣接する軸組に連結し、続いて、この土台と梁との間に元の軸組より土台の上下幅だけ上下幅の短い新たな軸組を挿入して上記土台に固定するようにしたことを特徴とするものである。
【０００８】
【発明の実施の形態】
以下、本発明の実施の形態を図面に基づいて説明する。図１及び図２に示すように、軸組３の周囲の構造は、上記従来例と同様であるので、ここでは重複した説明を省略する。
【０００９】
なお、梁５の屋外側には、斜め下方へ延びる腕木１２が存在するため、通常は、この腕木１２を取り外すか、又はアンカーボルト６を切断することなく、軸組３を取り外すことは不可能である。
【００１０】
以下、上記軸組３に錆による腐食等が生じた場合に、本発明の方法により、軸組３を交換する手順を説明する。軸組３の交換時には、まず、当該軸組３の屋外側に位置する外壁パネル１０を取り外した後、当該軸組３と隣接する軸組３の縦部材１同士を連結するボルト８及びナット９（図２）及び当該軸組３の上端の横部材２と梁５を連結するボルト８及びナット９を取り外し、かつ、当該軸組３の横部材２が挿通したアンカーボルト６のナット７を取り外す。
【００１１】
続いて、図３に示すように、軸組３の縦部材１を点線Ｂで示すように、上下に２分割した後、各分割体３ａ、３ｂを順次屋外側へ取り出す。図２の中央の軸組３を取り外した状態を図４に示す。図５に示すように、縦部材１の切断には、例えば、切刃１３ａが往復移動する形式の電動金鋸１３を用いることができる。
【００１２】
なお、軸組３の屋内側に木製の内壁枠１４が存在する場合、縦部材１の切断時に電動金鋸１３の切刃１３ａによって内壁枠１４に損傷が生じたり、縦部材１の切断の衝撃によって内壁枠１４が振動するおそれがある。
【００１３】
そのため、縦部材１の切断に際して、図５に示したように、縦部材１の屋外側に細長い木片１５を取り付け、電動金鋸１３の本体の先端部を木片１５の屋外側表面に押し当てながら、切刃１３ａによって木片１５とともに縦部材１を切断するようにすれば、内壁枠１４の損傷を防止することができる。この場合の木片１５の厚み寸法は、切断時に切刃１３ａが内壁枠１４に接触しない程度の寸法とすればよい。
【００１４】
また、不図示の止め金具とビス等を用いて、軸組３のいずれかの部位、例えば、縦部材１と内壁枠１４とを連結した状態で縦部材１を切断するようにすれば、切断時における内壁枠１４の振動を抑制することができる。
【００１５】
交換すべき軸組３を上下に２分割して各分割片３ａ、３ｂを取り出した後、図６に示すように、断面略コ字形の鋼製土台１６を基礎４上に配置し、底部１６ａに設けた孔をアンカーボルト６に挿通してナット７で鋼製土台１６をアンカーボルト６に固定する。
【００１６】
鋼製土台１６の上下幅Ｈは、例えば、１５０ｍｍ程度とすることができ、この鋼製土台１６の側部には、隣接する軸組３の縦部材１の下端部側の１対の孔１ａに対応する１対の孔が形成されている。鋼製土台１６はこれらの孔を挿通するボルト８及びナット９によって隣接する軸組３に連結される。
【００１７】
鋼製土台１６の取付後、図７及び図８に示すように、この鋼製土台１６と梁５との間に新規の軸組１７を挿入する。この軸組１７は、元の軸組３と同様に縦部材１８と横部材１９とを組み合わせてなるが、元の軸組３に比べて鋼製土台１６の上下幅Ｈの分だけ上下幅が小さく設定されている。
【００１８】
軸組１７の下端部における横部材１９には、鋼製土台１６の上端部１６ｂに設けた孔に対応する孔が形成される一方、縦部材１６の上端部付近には、隣接する軸組３の縦部材１における上端部付近の孔１ａに対応する孔が設けられている。
【００１９】
そして、新たな軸組１７を鋼製土台１６と梁５との間の挿入した後、下端部における横部材１９をボルト８とナット９で鋼製土台１６に固定する一方、縦部材１８を隣接する軸組３の縦部材１にボルト８とナット９とで接続する。
【００２０】
このように、本実施の形態では、軸組３の上端部の屋外側に腕木１２等の障害物が存在する状況でも、軸組３を上下に２分割することにより、屋外側へ容易に取り出すことができる。
【００２１】
また、新たな軸組１７の取付に際しては、まず、鋼製土台１６をアンカーボルト６に固定した後、元の軸組３より鋼製土台１６の高さ分だけ上下幅の短い軸組１７を鋼製土台１６と梁５との間に挿入して固定するようにしたので、元のアンカーボルト６をそのまま利用して新たな軸組１７を取り付けることができる。
【００２２】
【発明の効果】
以上説明したように、本発明の請求項１の軸組取替え方法は、基礎とその上方に位置する梁との間に配置され、基礎上に突出したアンカーボルトに固定された金属製の軸組を取り替える取替え方法であって、上記軸組を切断して上下に２分割し、各分割体を順次基礎と梁との間から取り出した後、上記基礎上に金属製の土台を配置して上記アンカーボルトに固定するとともに隣接する軸組に連結し、続いて、この土台と梁との間に元の軸組より土台の上下幅だけ上下幅の短い新たな軸組を挿入して上記土台に固定するものであるが、交換の必要な軸組を上下に２分割して取り出すようにしたので、軸組の屋外側に庇等の障害物が存在する場合でもアンカーボルトを損傷させることなく、軸組を容易に取り出せるようになる。
【００２３】
また、新たな軸組の取付に際して、まず、上記アンカーボルトを用いて基礎上に土台を取り付けた後、この土台の分だけ上下幅を短くした新たな軸組を土台と梁間に挿入して土台に固定するようにしたので、新たな軸組の取付も容易に行える。
【００２４】
更に、軸組の取替えのためにアンカーボルトを切断、除去する必要がなくなるので、アンカーボルトの切断に伴う火災の発生を防止できるとともに、軸組の取外し後に新たなアンカーボルトを埋め込む作業も不要となる。
【図面の簡単な説明】
【図１】本発明の実施の形態における住宅における取替え前の軸組周辺を一部を省略して示す概略断面図。
【図２】上記軸組周辺を屋内側から一部を省略して示す概略正面図。
【図３】上記軸組を上下に２分割して屋外側へ取り出す様子を一部を省略して示す概略断面図。
【図４】上記軸組を取り出した様子を屋内側から一部を省略して示す概略正面図。
【図５】上記軸組を切断する様子を屋外側から示す概略正面図。
【図６】上記軸組を取り出した後、元のアンカーボルトを利用して基礎上に鋼製土台を取り付けた様子を屋内側から一部を省略して示す概略正面図。
【図７】上記鋼製土台と梁との間に新たな軸組を挿入した状態を一部を省略して示す概略断面図。
【図８】上記鋼製土台と梁との間に新たな軸組を挿入した状態を屋内側から一部を省略して示す概略正面図。
【符号の説明】
３  軸組
４  基礎
５  梁
６  アンカーボルト
１６  鋼製土台（金属製の土台）
１７  軸組
【図１】
0003989699.tif 000002
【図２】
0003989699.tif 000003
【図３】
0003989699.tif 000004
【図４】
0003989699.tif 000005
【図５】
0003989699.tif 000006
【図６】
0003989699.tif 000007
【図７】
0003989699.tif 000008
【図８】
0003989699.tif 000009